(57)【要約】【課題】ロータの逆回転時に発生する振動に起因する諸問題を解決することができると共に、スプール往復動機構の耐久性、並びにロータ逆回転時におけるフリー性に優れた魚釣用スピニングリールを提供する。【解決手段】ハンドル軸５の回転操作に応じて回転しスプール４に釣糸を案内する釣糸案内部を有するロータ３と、先端にスプール４が取り付けられたスプール軸１２と、ハンドル軸５の回転操作運動をスプール軸１４の前後往復動に変換するスプール往復動機構１５と、を備え、スプール往復動機構１５は、釣糸をスプール４に巻き取る際又は釣糸をスプール４から引き出す際のロータの回転方向に応じてスプール軸１４における前後往復動の速度を切り換える変速装置１６を備えることを特徴とする。【選択図】    図１
2007014207.tif 000002
【特許請求の範囲】
【請求項１】
ハンドル軸の回転操作に応じて回転しスプールに釣糸を案内する釣糸案内部を有するロータと、先端にスプールが取り付けられたスプール軸と、前記ハンドル軸の回転操作運動を前記スプール軸の前後往復動に変換するスプール往復動機構と、を備え、前記スプール往復動機構は、釣糸をスプールに巻き取る際又は釣糸をスプールから引き出す際の前記ロータの回転方向に応じて前記スプール軸における前後往復動の速度を切り換える変速装置を備えることを特徴とする魚釣用スピニングリール。
【請求項２】
前記変速装置は、釣糸をスプールから引き出す際の前記ロータの回転時における前記スプール軸の前後往復動の速度を、釣糸をスプールに巻き取る際の前記ロータの回転時における前記スプール軸の前後往復動の速度よりも遅くさせたことを特徴とする請求項１に記載の魚釣用スピニングリール。
【請求項３】
前記変速装置は、一方向クラッチを用いた回転規制が行われる遊星歯車装置で構成されることを特徴とする請求項２に記載の魚釣用電動リール。
【発明の詳細な説明】
【技術分野】
【０００１】
本発明は、魚釣用スピニングリールに関し、特に、ハンドルの回転操作運動を、スプールの前後往復動に変換するスプール往復動機構をリール本体内に設けた魚釣用スピニングリールに関する。
【背景技術】
【０００２】
一般に、魚釣用スピニングリールは、ハンドルの回転操作で釣糸案内部を有するロータを回転させると共に、ハンドルの回転運動をリール本体内部に設けたスプール往復動機構により前後動方向に変換することで前後往復動するスプールに、ロータの釣糸案内部を介して釣糸が巻回される構成を有している。
【０００３】
従来、このような魚釣用スピニングリールにおいて、リール本体に上方に向けて牽引可能に取り付けられた操作レバーの牽引操作や、リール本体の後部に設けた操作具の回転操作により、魚のヒットに伴う釣糸の繰り出しによって逆回転するロータに制動力を付与するロータ制動装置を備え、ロータの逆回転をフリーに行わせる一方、操作者の回転操作等により魚とのやり取りを可能とするものが知られている（例えば、特許文献１及び特許文献２参照）。
【特許文献１】実公平１−２０８５８号公報
【特許文献２】実公平１−３９１９４号公報
【発明の開示】
【発明が解決しようとする課題】
【０００４】
しかしながら、このような魚釣用スピニングリールにおいては、ロータの逆回転に連動してスプールが高速で前後往復動することとなる。このため、この前後往復動に応じて発生する振動が、操作者に不快感を与えると共に、釣糸を介して魚に違和感を与えて魚を暴れさせ、魚を取り逃がしたり釣糸を切断したりする原因となり、また、リール本体のネジ締結部に伝わってネジの緩みの原因となるという問題がある。
【０００５】
また、ロータの逆回転に連動してスプールが高速で前後往復動するので、スプール往復動機構における変換係合部（例えば、ウォームシャフトとピン係合部や、係合突起と係合溝）の磨耗や、前後往復動の方向転換時の抵抗発生によるロータ逆回転時のフリー性の劣化を引き起こす原因となるという問題がある。
【０００６】
本発明は、上記した問題に鑑みて為されたものであり、ロータの逆回転時に発生する振動に起因する諸問題を解決することができると共に、スプール往復動機構の耐久性、並びにロータ逆回転時におけるフリー性に優れた魚釣用スピニングリールを提供することを目的とする。
【課題を解決するための手段】
【０００７】
上記した目的を達成するために、本発明に係る魚釣用スピニングリールは、ハンドル軸の回転操作に応じて回転しスプールに釣糸を案内する釣糸案内部を有するロータと、先端にスプールが取り付けられたスプール軸と、ハンドル軸の回転操作運動をスプール軸の前後往復動に変換するスプール往復動機構と、を備え、スプール往復動機構は、釣糸をスプールに巻き取る際又は釣糸をスプールから引き出す際のロータの回転方向に応じてスプール軸における前後往復動の速度を切り換える変速装置を備えることを特徴とする。
【０００８】
上記した構成の魚釣用スピニングリールによれば、変速装置によって、ロータの回転方向に応じてスプール軸における前後往復動の速度を切り換えられることから、例えば、リールにおける振動が大きい方のロータの回転方向に対応させてスプール軸の前後往復動の速度を遅くする制御を行うことが可能となる。このような制御により、スプールの前後往復動に応じて発生していた振動を低減することができるので、振動に伴う操作者における不快感を除去すると共に、魚へ与える影響を低減することを通じて釣果を向上させることが可能となる。
【０００９】
また、リールにおける振動が大きい方のロータの回転方向に対応させてスプール軸の前後往復動の速度を遅くすることから、高速でスプール軸が前後往復動する場合と比べて、スプール往復動機構の前後往復動に変換する部材の磨耗を回避することができるので、スプール往復動機構の耐久性に優れたリールを提供することができる。さらに、スプールの前後往復動の方向転換時の抵抗発生によりロータの回転時におけるフリー性が劣化する事態を回避することができるので、ロータ回転時におけるフリー性に優れたリールを提供することができる。
【００１０】
なお、上記構成の魚釣用スピニングリールにおいて、変速装置は、釣糸をスプールから引き出す際のロータの回転時におけるスプール軸の前後往復動の速度を、釣糸をスプールに巻き取る際のロータの回転時におけるスプール軸の前後往復動の速度よりも遅くさせることが好ましい。この場合には、一般的にハンドルを用いた釣糸の巻取り操作よりも大きくなる、魚による釣糸繰出し時に発生するリールの振動を低減することができるので、リールの振動に伴う操作者における不快感を除去すると共に、魚へ与える影響を低減することを通じて釣果を向上させることが可能となる。
【００１１】
また、上記構成の魚釣用スピニングリールにおいて、変速装置は、例えば、一方向クラッチを用いた回転規制が行われる遊星歯車装置で構成することが可能である。この場合には、通常の遊星歯車装置に必要とされるスペースでスプール軸の前後往復動を切り換えることができるため、特に、スプール軸方向に必要となるスペースを削減することが可能となる。この結果、リール本体内のスペースを低減することができ、リール自体の小型化を図ることが可能となる。
【発明の効果】
【００１２】
本発明によれば、ロータの逆回転時に発生する振動に起因する諸問題を解決することができると共に、スプール往復動機構の耐久性、並びにロータ逆回転時におけるフリー性に優れた魚釣用スピニングリールが得られるようになる。
【発明を実施するための最良の形態】
【００１３】
以下、図面を参照しながら本発明の実施形態について説明する。
【００１４】
図１は、本発明の一実施形態に係る魚釣用スピニングリールの全体的な構成を示している。
【００１５】
図１に示すように、本発明に係る魚釣用スピニングリールのリール本体１には、釣竿に装着されるリール脚２が一体形成されており、その前方には回転可能に支持されたロータ３と、ロータ３の回転運動と同期して前後動可能に支持されたスプール４が配設されている。
【００１６】
ロータ３は、スプール４の周囲を回転する一対の腕部３ａを備えており、各腕部３ａの夫々の前端部には、ベール３ｂの基端部を取り付けたベール支持部材３ｃが釣糸巻取り位置と釣糸放出位置との間で回動自在に支持されている。なお、ベール３ｂの一方の基端部は、ベール支持部材３ｃに一体的に設けられた釣糸案内部３ｄに取り付けられている。
【００１７】
リール本体１内には、ハンドル軸５が回転可能に支持されており、その突出端部には、ハンドル６が取り付けられている。また、ハンドル軸５には、巻取り駆動機構が係合しており、この巻取り駆動機構は、ハンドル軸５に一体回転可能に装着された駆動ギヤ（フェースギヤ）７と、この駆動ギヤ７に噛合する従動ギヤ８（ピニオン）が周面に形成されると共にハンドル軸５と直交する方向に延出し、内部に軸方向に延出する空洞部が形成されたピニオン軸９と、を備えている。
【００１８】
ピニオン軸９は、リール本体１の突出部１ａに設けた軸受け１０及びリール本体１内に形成した軸受部１１で回転可能に支持されている。また、スプール４側に向けて延出しており、その先端部において、ロータ３が取り付け固定されている。ピニオン軸９に形成された従動ギヤ８の上方に、従動ギヤ８のスプール４側端部に一体的に取り付けられたラチェット８ａに対して係脱可能に構成された係合部材１２が配設されている。係合部材１２は、リール本体１の外部に設けられたレバー１３に対する回動操作によりラチェット８ａに対する係脱が切り替えられ、ハンドル６（ロータ３）の釣糸繰出し方向の逆回転を防止する公知の逆転防止装置を構成するようになっている。
【００１９】
ピニオン軸９の内部に形成された空洞部には、ハンドル軸５と直交する方向に延出し、先端側にスプール４を装着したスプール軸（メインシャフト）１４が軸方向に移動可能に挿通されている。また、ピニオン軸９には、スプール４（スプール軸１４）を前後往復動させるためのスプール往復動機構１５の一部を為す変速装置１６が装着されている。
【００２０】
変速装置１６は、一方向クラッチを用いた回転規制が行われる遊星歯車装置で構成される。そして、この一方向クラッチの作用によって、ロータ３の回転方向によりスプール軸１４の前後往復動する速度を切り換えるようになっている。より具体的には、変速装置１６は、釣糸繰出し時におけるロータ３の回転時の方が、釣糸巻取り操作時におけるロータ３の回転時よりも遅くなるように、スプール軸１４の前後往復動の速度を変速する。
【００２１】
スプール往復動機構１５は、上述の変速装置１６と、リール本体１内に回転可能に支持され、スプール軸１４と平行に延出するウォームシャフト１７と、スプール軸１４の基端部に抜け止め固定された摺動子１８と、ウォームシャフト１７の端部に取り付けられ、変速装置１６が有する内側歯車と噛合するギヤ１９とを備えている。
【００２２】
上記摺動子１８は、スプール軸１４に対してビス等によって回り止め固定されると共に、ウォームシャフト１７の外周面に形成された螺旋溝１７ａと係合する係合ピン２０を有している。そして、ウォームシャフト１７が回転駆動されると、摺動子１８は、係合ピン２０を介して前後方向に往復駆動される。この結果、スプール４（スプール軸１４）が前後方向に往復駆動される。
【００２３】
このような構成を有する魚釣用スピニングリールにおいて、ハンドル６により巻取り操作を行うと、ロータ３が巻取り駆動機構を介して回転駆動されると共に、スプール４がスプール往復動機構１４を介して前後往復動されるので、釣糸は、釣糸案内部３ｄを介してスプール４の巻回胴部４ａに均等に巻回されるようになっている。
【００２４】
次に、上記したスプール往復動機構１５を構成する変速装置１６の構成及び作用について説明する。図２は、スプール往復動機構１５を構成する変速装置１６周辺の拡大図であり、図３は、図２に示すＡ−Ａ線に沿った断面を図２に示す左方側から示した図、そして、図４は、図２に示すＢ−Ｂ線に沿った断面を図２に示す左方側から示した図である。
【００２５】
図２に示すように、変速装置１６を構成する遊星歯車装置は、ピニオン軸９に回り止め嵌合した状態で装着される太陽歯車２１と、この太陽歯車２１に噛合する複数の遊星歯車２２と、ピニオン軸９に回転可能に装着された内側歯車２３と、遊星歯車２２を支持する遊星歯車支持体２４とから構成される。なお、内側歯車２３は、その内周部分に形成された内周歯部２３ａが遊星歯車２２と噛合する一方、外周部分に形成された外周歯部２３ｂが上記ギヤ１９とそれぞれ噛合する。
【００２６】
遊星歯車支持体２４は、リール本体１の変速装置１６側に向けて形成された突出部１ａの内側部分に一方向クラッチ２５を介して回転可能に取り付けられており、遊星歯車２２は、遊星歯車支持体２４の支軸２４ａに一方向クラッチ２６を介して回転可能に取り付けられている。これらの一方向クラッチ２５及び２６は、それぞれ遊星歯車支持体２４及び遊星歯車２２の一方向の回転を規制する。
【００２７】
ここで、一方向クラッチ２５及び２６の作用と併せて釣糸巻取り操作及び釣糸繰出しに対応するロータ３の回転時における動力伝達経路について図３及び図４を用いて説明する。なお、図３及び図４においては、同図に示す時計回り方向の回転を正転と呼び、反時計回り方向の回転を逆転と呼ぶものとする。
【００２８】
遊星歯車２２と遊星歯車支持体２４の支軸２４ａとの間に配設された一方向クラッチ２６は、遊星歯車２２における図３に示す逆転方向の回転駆動力を規制する一方、正転方向の回転駆動力を許容するように構成されている。一方、遊星歯車支持体２４とリール本体１の突出部１ａとの間に配設された一方向クラッチ２５も、図４に示す遊星歯車支持体２４における逆転方向の回転駆動力を規制する一方、正転方向の回転駆動力を許容するように構成されている。
【００２９】
このような一方向クラッチ２５及び２６を備える変速装置１６において、ハンドル６の釣糸巻取り操作に応じてピニオン軸９が正転駆動されると、これに応じてロータ３が正転駆動される。この場合、ピニオン軸９上の太陽歯車２１は、ピニオン軸９の正転駆動に応じて正転している。このとき、太陽歯車２１の正転に応じて遊星歯車２２に逆転させる力が働くが、一方向クラッチ２６の作用により遊星歯車２２の逆転は規制されているため、遊星歯車２２は逆転することなく遊星歯車２２が停止した状態で遊星歯車支持体２４が太陽歯車２１と同方向に正転（公転）する。
【００３０】
なお、一方向クラッチ２５は、遊星歯車支持体２４の正転を許容するため、遊星歯車支持体２４の太陽歯車２１と同方向の正転が規制されることはない。そして、この遊星歯車支持体２４の正転に応じて遊星歯車２２と噛合した状態で一体的に内側歯車２３も正転する。このように、釣糸巻取り操作に対応するロータ３の回転時における回転駆動力は、遊星歯車２２の自転作用を受けず、減速されることなく内側歯車２３に伝達される。
【００３１】
そして、内側歯車２３が正転すると、この内側歯車２３の外周歯部２３ｂと噛合するギヤ１９が逆転し、回転駆動力がウォームシャフト１７に伝達される。この回転駆動力は、摺動子１８及びスプール軸１４を介してスプール４に伝達される。したがって、釣糸巻取り操作に対応して正転方向にロータ３が回転駆動されると、スプール４が減速されることなく、前後往復動されることとなる。
【００３２】
一方、このような変速装置１１において、魚により釣糸繰出し時にはロータ３が逆転駆動される。この場合、ロータ３の逆転に応じてピニオン軸９も逆転し、ピニオン軸９上の太陽歯車２１も同様に逆転する。太陽歯車２１が逆転すると、遊星歯車２２は正転する。このとき、遊星歯車２２の正転の自転に伴って遊星歯車支持体２４に太陽歯車２１と同方向の逆転方向の力が働くが、一方向クラッチ２５の作用により遊星歯車支持体２４の逆転は規制されているため、遊星歯車２２が遊星歯車支持体２４と共に移動（公転）することなく正転（自転）する。
【００３３】
なお、一方向クラッチ２６は、遊星歯車２２の正転を許容するため、遊星歯車２２の正転が規制されることはない。そして、この遊星歯車２２の正転に応じて内側歯車２３を減速した状態で同方向に正転させる。このように、魚による釣糸繰出しに対応するロータ３の回転時における回転駆動力は、遊星歯車２２を介して内側歯車２３に伝達されて減速される。
【００３４】
そして、内側歯車２３が正転すると、上述の場合と同様に、この内側歯車２３の外周歯部２３ｂと噛合するギヤ１９が逆転し、回転駆動力がウォームシャフト１７に伝達される。かかるピニオン軸９による回転駆動力は、摺動子１８及びスプール軸１４を介してスプール４に伝達される。したがって、魚による釣糸繰出しに対応してロータ３が逆転方向に回転駆動されると、スプール４が減速した状態で前後往復動されることとなる。
【００３５】
このように、本実施の形態の魚釣用スピニングリールにおいては、ハンドル６に対する回転操作をスプール軸１４の前後往復動に変換するスプール往復動機構１５に、ロータ３の回転方向に応じてスプール軸１４における前後往復動の速度を切り換える変速装置１６を配設したことから、例えば、リールにおける振動が大きい方のロータ３の回転方向に対応させてスプール軸１４の前後往復動の速度を遅くする制御を行うことが可能となる。このような制御により、スプール４の前後往復動に応じて発生していた振動を低減することができるので、振動に伴う操作者における不快感を除去すると共に、魚へ与える影響を低減することを通じて釣果を向上させることが可能となる。
【００３６】
また、リールにおける振動が大きい方のロータ３の回転方向に対応させてスプール軸１４の前後往復動の速度を遅くすることから、高速でスプール軸１４が前後往復動する場合と比べて、スプール往復動機構１５の前後往復動に変換する部材の磨耗を回避することができるので、スプール往復動機構１５の耐久性に優れたリールを提供することができる。さらに、スプールの前後往復動１５の方向転換時の抵抗発生によりロータ３の回転時におけるフリー性が劣化する事態を回避することができるので、ロータ回転時におけるフリー性に優れたリールを提供することができる。
【００３７】
特に、上記実施の形態に係る魚釣用スピニングリールにおいて、変速装置１６は、釣糸をスプールから引き出す際のロータ３の回転時におけるスプール軸１４の前後往復動の速度を、釣糸をスプール４に巻き取る際のロータ３の回転時におけるスプール軸１４の前後往復動の速度よりも遅くさせている。これにより、一般的にハンドル６を用いた釣糸の巻取り操作よりも大きくなる、魚による釣糸繰出し時に発生するリールの振動を低減することができるので、リールの振動に伴う操作者における不快感を除去すると共に、魚へ与える影響を低減することを通じて釣果を向上させることが可能となる。
【００３８】
また、上記実施の形態に係る魚釣用スピニングリールにおいては、変速装置１６を、一方向クラッチを用いた回転規制が行われる遊星歯車装置で構成している。このように、変速装置１６を遊星歯車装置で構成することにより、通常の遊星歯車装置に必要とされるスペースでスプール軸１４の前後往復動を切り換えることができるため、特に、スプール軸方向に必要となるスペースを削減することが可能となる。この結果、リール本体内のスペースを低減することができ、リール自体の小型化を図ることが可能となる。
【００３９】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４０】
例えば、上記した実施形態においては、ウォームシャフト１７を使用したスプール往復動装置１５について示しているが、例えば、組み付けられるスピニングリールの構成に応じて、スプール往復動装置１５の構成については、適宜変更することが可能である。例えば、所謂ギヤオシレート方式を用いたスプール往復動装置に適用することが可能である。
【００４１】
また、上記した実施形態においては、遊星歯車装置を用いた変速装置１６について示しているが、例えば、組み付けられるスピニングリールの構成に応じて、変速装置１６の構成については、適宜変更することが可能である。例えば、ギヤ比の異なる大小の平歯車を複数噛合させた構成を有する変速装置１６としても良い。このように変更した場合においても、上記した実施形態と同様の効果を得ることが可能である。
【００４２】
さらに、上記した実施形態においては、変速装置１６は、リール本体１とロータ３との間に配設された場合について示しているが、組み付けられるスピニングリールの構成に応じて、その配設位置については、適宜変更することが可能である。例えば、ロータ３の回転駆動力をウォームシャフト１７に伝達することができれば、リール本体１内に配設しても良い。このように変更した場合においても、上記した実施形態と同様の効果を得ることが可能である。
【００４３】
さらに、上記した実施形態においては、一般的なオープンフェース型の魚釣用スピニングリールについて説明しているが、本発明は、ロータ３の逆転時にスプール４を前後往復動させないようにする必要があるリールであれば、クローズドフェース型のリールにも適用することが可能であり、上述した優れた効果を得ることが可能となる。
【００４４】
特に、魚による釣糸の繰り出しに応じて逆回転するロータ３に制動力を付与するロータ制動装置を備え、意図的にロータ３の逆回転をフリーに行わせる一方、操作者のロータ制動装置に対する操作により魚とのやり取りを可能とする、上述した従来技術の特許文献１（実公平１−２０８５８号公報）に開示された所謂レバーブレーキリールにおいては、上述した優れた効果に加え、更に顕著な効果を得ることが可能となる。
【００４５】
すなわち、レバーブレーキリールにおいては、釣糸を繰り出す量は操作者のロータ制動装置に対する操作に依存することとなるが、本発明を適用することでロータ３の逆転時に発生していた振動が除去されるので、ロータ制動装置に対する操作に集中することが可能となり、魚とのやり取りをより一層楽しみながら魚釣りを行うことが可能となる。
【００４６】
また、以上の説明において、スプール往復動機構１５に配設される一方向クラッチ２５及び２６は、上記構成に限定されることなく、他の構成を有する一方向クラッチを適用することが可能である。例えば、ラチェットと爪とを組み合わせて一方向クラッチを構成しても良いし、また、巻バネの締付力を利用して構成するようにしてもよい。このように変更した場合においても、上述した本実施の形態と同様の効果を得ることが可能である。
【産業上の利用可能性】
【００４７】
本発明は、ロータの逆回転時に発生する振動に起因する諸問題を解決することができると共に、スプール往復動機構の耐久性、並びにロータ逆回転時におけるフリー性に優れた魚釣用スピニングリールを提供するものであり、産業上の利用可能性を有する。
【図面の簡単な説明】
【００４８】
【図１】本発明の一実施形態に係る魚釣用スピニングリールの全体的な構成を示す図。
【図２】スプール往復動機構を構成する変速装置周辺の拡大図。
【図３】図２に示すＡ−Ａ線に沿った断面を図２に示す左方側から示した図。
【図４】図２に示すＢ−Ｂ線に沿った断面を図２に示す左方側から示した図。
【符号の説明】
【００４９】
１  リール本体
３  ロータ
４  スプール
５  ハンドル軸
７  駆動ギヤ
９  ピニオン軸
１４  スプール軸
１５  スプール往復動機構
１６  変速装置
１７  ウォームシャフト
１８  摺動子
１９  キヤ
２１  太陽歯車
２２  遊星歯車
２３  内側歯車
２４  遊星歯車支持体
２５、２６  一方向クラッチ
【図１】
2007014207.tif 000003
【図２】
2007014207.tif 000004
【図３】
2007014207.tif 000005
【図４】
2007014207.tif 000006
【手続補正書】
【提出日】平成17年9月15日(2005.9.15)
【手続補正１】
【補正対象書類名】特許請求の範囲
【補正対象項目名】請求項３
【補正方法】変更
【補正の内容】
【請求項３】
前記変速装置は、一方向クラッチを用いた回転規制が行われる遊星歯車装置で構成されることを特徴とする請求項２に記載の魚釣用スピニングリール。